(57)【要約】【課題】通信端末装置の機能を使用する場合、その機能に該当する特定コードを認識して、必要とする設定や複雑な操作手順を省き、利用者の利便性を向上させる。【解決手段】システム制御部４は各端末装置２ａから入力した識別コードにより管理部１３を検索し、受信した識別コードが管理部１３に登録されている場合、その識別コードに該当する機能に必要な設定項目を確認し、該当する機能を実現するために必要な項目が設定されている場合、該当する機能に関する処理を実行する。受信した識別コードが管理部１３に登録されていない場合、その旨を端末装置２ａに通知して通信端末装置１のアクセスを拒否する。【選択図】　　図３
2004104390.tif 000002
【特許請求の範囲】
【請求項１】
複数の端末装置に通信回線を介して接続され、各端末装置からアクセスして各種機能を実行する通信端末装置において、
システムの制御を行うシステム制御部と、各種機能をそれぞれ識別コードで特定して登録した管理部を有し、システム制御部は各端末装置から入力した識別コードにより管理部を検索し、検索した識別コードで特定された機能を実行することを特徴とする通信端末装置。
【請求項２】
複数の端末装置に通信回線を介して接続され、各端末装置からアクセスして各種機能を実行する通信端末装置において、
システムの制御を行うシステム制御部と、各種機能をそれぞれ識別コードで特定して登録するとともに、各端末装置を特定する固有のＩＤコードを登録した管理部を有し、システム制御部は各端末装置から入力したＩＤコードが管理部に登録されているとき、入力した識別コードにより管理部を検索し、検索した識別コードで特定された機能を実行することを特徴とする通信端末装置。
【発明の詳細な説明】
【０００１】
【発明の属する技術分野】
この発明は、公衆回線網等のネットワーク等に接続されたファクシミリ装置やパソコン等の端末装置の通信を制御する通信端末装置に関するものである。
【０００２】
【従来の技術】
【特許文献１】特開平７−１７０３３８号公報
【特許文献２】特開２０００−６９１１０号公報
【特許文献３】特開２００１−５３８６０号公報
例えばパソコン等の端末装置である通信端末装置を使用する場合、特許文献１〜特許文献３に示されたように、通常はＩＤコードやパスワード等の特定コードを使用して通信端末装置へアクセスし、該当するＩＤコードやパスワードが通信端末装置に登録されている場合、その通信端末装置を使用できるようになっている。
【０００３】
【発明が解決しようとする課題】
しかしながら通信端末装置が使用できる状態となっても、その通信端末装置の機能を使用する場合には、その設定や使用手順等複雑な場合があり利用者が容易に通信端末装置の機能を利用できないという短所がある。
【０００４】
この発明はこのような短所を改善し、通信端末装置の機能を使用する場合、その機能に該当する特定コードを認識して、必要とする設定や複雑な操作手順を省き、利用者の利便性を向上することができる通信端末装置を提供することを目的とするものである。
【０００５】
【課題を解決するための手段】
この発明の通信端末装置は、複数の端末装置に通信回線を介して接続され、各端末装置からアクセスして各種機能を実行する通信端末装置において、システムの制御を行うシステム制御部と、各種機能をそれぞれ識別コードで特定して登録した管理部を有し、システム制御部は各端末装置から入力した識別コードにより管理部を検索し、検索した識別コードで特定された機能を実行することを特徴とする。
【０００６】
この発明の他の通信端末装置は、複数の端末装置に通信回線を介して接続され、各端末装置からアクセスして各種機能を実行する通信端末装置において、システムの制御を行うシステム制御部と、各種機能をそれぞれ識別コードで特定して登録するとともに、各端末装置を特定する固有のＩＤコードを登録した管理部を有し、システム制御部は各端末装置から入力したＩＤコードが管理部に登録されているとき、入力した識別コードにより管理部を検索し、検索した識別コードで特定された機能を実行することを特徴とする。
【０００７】
【発明の実施の形態】
図１はこの発明のシステム構成を示すブロック図である。図に示すように、ファクシミリ装置等の通信端末装置１は複数のパソコン等の端末装置２ａ〜２ｎとネットワーク例えば公衆回線網３を介して接続されている。通信端末装置１は、図２のブロック図に示すように、システム制御部４と公衆回線網に接続された回線インタフェース５とＬＡＮに接続されたＬＡＮインタフェース６と通信制御部７と操作部８と表示部９と記録部１０と読取部１１と記憶部１２及び管理部１３を有する。システム制御部４はシステムの制御を行う。通信制御部７は、回線インタフェース５やＬＡＮインタフェース６を介して行う通信を制御する。操作部は、各種機能を実現するために必要な項目や各種操作指令を入力して設定する。表示部９は各種情報を表示する。記録部１０は画像情報等を記録媒体に記録して出力する。読取部１１は原稿の画像情報等を読み取る。記憶部１２はシステム制御部４が行う処理プログラム等や画像情報等を記憶する。管理部１３には、通信端末装置１の各種機能をそれぞれ識別コードとともに登録されているとともに、端末装置２ａ〜２ｎ毎に割り当てた固有のＩＤコードが登録されている。
【０００８】
この通信端末装置１に端末装置２ａ〜２ｎからアクセスした通信端末装置１を使用するときの動作を図３のフローチャートを参照して説明する。
【０００９】
例えば端末装置２ａで通信端末装置１のある機能を使用するために通信端末装置１に対してＩＤコードを機能を示す識別コードとともに通知する。通信端末装置１でＩＤコードを受信すると（ステップＳ１）、通信端末装置１のシステム制御部４は受信したＩＤコードと一致するＩＤコードが管理部１３に登録されているかどうかを検索する（ステップＳ２）。この検索の結果、受信したＩＤコードが管理部１３に登録されていない場合（ステップＳ３）、システム制御部４はその旨を端末装置２ａに通知して通信端末装置１のアクセスを拒否する（ステップＳ４）。また、受信したＩＤコードが管理部１３に登録されている場合、受信した識別コードを判別して、判別した識別コードと一致する識別コードが管理部１３に登録されているかどうかを検索する（ステップＳ５）。この検索の結果、受信した識別コードが管理部１３に登録されている場合（ステップＳ６）、システム制御部４は識別コードに該当する機能に必要な設定項目を確認し、該当する機能を実現するために必要な項目が設定されている場合（ステップＳ７）、該当する機能に関する処理を実行する（ステップＳ８）。
【００１０】
また、必要な項目が設定されていない場合、その旨を利用者に通知して必要な項目を設定するように要求する（ステップＳ９）。この必要な項目を通信端末装置１の操作部８から指示する場合、機能を実現するために必要な項目のうち未設定項目があれば、その旨を利用者に通知すると共に未設定項目を設定するための設定画面へ遷移する。この未設定項目を設定することにより、その機能を利用することができる。この未設定項目の設定は利用者が行っても良いが、管理者等に操作権限を限定することにより、不用意な設定を行わすことなく誤作動を防止することができる。
【００１１】
また、受信した識別コードが管理部１３に登録されていない場合（ステップＳ６）、その旨を端末装置２ａに通知して通信端末装置１のアクセスを拒否する（ステップ１０）。
【００１２】
このように端末装置２ａ〜２ｎで通信端末装置１の各種機能を使用する場合、その機能に該当する特定の識別コードを通信端末装置１へ通知し、その識別コードを通信端末装置１で認識して該当する機能を実現することにより、通信端末装置１の各種機能を使用するために必要な設定や複雑な操作手順を省くことができ、端末装置２ａ〜２ｎの利用者が通信端末装置１の各種機能を容易に利用することができる。
【００１３】
【発明の効果】
この発明は以上説明したように、各端末装置から入力した識別コードにより各種機能を検索し、検索した識別コードで特定された機能を実行するようにしたから、通信端末装置の各種機能を使用するために必要な設定や複雑な操作手順を省くことができ、端末装置の利用者が通信端末装置の各種機能を容易に利用することができる。
【００１４】
また、各端末装置を特定する固有のＩＤコードを登録し、各端末装置から入力したＩＤコードが登録されているとき、入力した識別コードにより機能を検索して実行することにより、不用意に機能が実行されることを防ぐことができる。
【図面の簡単な説明】
【図１】この発明のシステム構成を示すブロック図である。
【図２】通信端末装置の構成を示すブロック図である。
【図３】通信端末装置にアクセスしたときの動作を示すフローチャートである。
【符号の説明】
１；通信端末装置２；端末装置、３；公衆回線網、４；システム制御部、
５；回線インタフェース、６；ＬＡＮインタフェース、７；通信制御部、
８；操作部、９；表示部、１０；記録部、１１；読取部、１２；記憶部、
１３；管理部。
【図１】
2004104390.tif 000003
【図２】
2004104390.tif 000004
【図３】
2004104390.tif 000005